(57)【特許請求の範囲】
【請求項１】
一端がごみの投入部、他端がごみの排出部に形成され、ごみを振動によって該投入部から排出部へ搬送する上下２段の搬送通路を有し、上記上段の搬送通路は、所定の大きさのごみが落下可能なように所定間隔を隔てて配置された複数のロッドからなる櫛状体と、各ロッドの上面にのこ歯状に設けられた突起とからなる一次選別手段で構成され、この一次選別手段の下方に、排出部側に向けて上方に傾斜した傾斜面を有する二次選別手段が配置されるとともに、この二次選別手段の上端が上記下段の搬送通路の搬送面に連設され、さらに、二次選別手段の下端側には上記排出部に向けて気体を送風する送風手段が設けられたことを特徴とするごみ選別装置。
【請求項２】
前記一次選別手段の上方には、前記ロッド間に挿入可能で且つロッドの延設方向に往復動可能な揺動アームを備え、ロッド上のごみを排出部側に強制的に送る送り機構が設けられた請求項１記載のごみ選別装置。
【請求項３】
前記二次選別手段は、傾斜面の角度が調節自在に構成された請求項１又は２記載のごみ選別装置。
【請求項４】
前記送風手段は、送風方向およびまたは風量が調整可能に構成された請求項１、２又は３記載のごみ選別装置。
【発明の詳細な説明】
【０００１】
【発明の属する技術分野】
本発明は、破砕したごみを選別するごみ選別装置に関する。
【０００２】
【従来の技術】
従来、特開平５−９６２４３号公報記載のものに見られるように、振動コンベアを構成するごみ搬送通路の中間高さ位置にスクリーンを設け、スクリーンに形成された網目を通過するごみを小径の不燃物とみなして下側空間部に導くとともに、スクリーンを通過しない上側空間部のごみを風力選別により可燃物と不燃物とに分離するごみ分離装置が開示されている。
【０００３】
【発明が解決しようとする課題】
しかしながら、上記従来のごみ分離装置では、スクリーンに形成された網目を通過するごみを一括して不燃物とみなしているため、このごみのなかには可燃物などの小さいごみも含まれることになり、後の工程での選別作業が煩雑になるという問題があった。特に、予めごみを破砕したものを選別する場合には、ごみ全体が小さく破砕されているため、スクリーンに形成された網目を通過するごみも多くなり、後の工程での選別作業がさらに煩雑になるという問題があった。
【０００４】
【課題を解決するための手段】
本発明の請求項１記載のごみ選別装置は、一端がごみの投入部、他端がごみの排出部に形成され、ごみを振動によって該投入部から排出部へ搬送する上下２段の搬送通路を有し、上記上段の搬送通路は、所定の大きさのごみが落下可能なように所定間隔を隔てて配置された複数のロッドからなる櫛状体と、各ロッドの上面にのこ歯状に設けられた突起とからなる一次選別手段で構成され、この一次選別手段の下方に、排出部側に向けて上方に傾斜した傾斜面を有する二次選別手段が配置されるとともに、この二次選別手段の上端が上記下段の搬送通路の搬送面に連設され、さらに、二次選別手段の下端側には上記排出部に向けて気体を送風する送風手段が設けられたものである。
【０００５】
本発明の請求項２記載のごみ選別装置は、前記一次選別手段の上方には、前記ロッド間に挿入可能で且つロッドの延設方向に往復動可能な揺動アームを備え、ロッド上のごみを排出部側に強制的に送る送り機構が設けられたものである。
【０００６】
本発明の請求項３記載のごみ選別装置は、前記二次選別手段は、傾斜面の角度が調節自在に構成されたものである。
【０００７】
本発明の請求項４記載のごみ選別装置は、前記送風手段は、送風方向およびまたは風量が調整可能に構成されたものである。
【０００８】
【発明の実施の形態】
以下、本発明の実施の形態を図面を参照して説明する。
【０００９】
図１は、本発明のごみ選別装置の概略の全体構成を示している。
【００１０】
このごみ選別装置は、上下２段の搬送通路を有するもので、上段の搬送通路は櫛状体（一次選別手段）１で構成され、下段の搬送通路は上記櫛状体１の途中部下方から当該櫛状体１よりも先端側に延設された搬送面２で構成され、該搬送面２の搬送方向上流側に傾斜板（二次選別手段）３が連設されている。
【００１１】
このように構成された搬送通路は、図１における左側がごみを投入する投入部Ａに形成されるとともに、右側がごみを排出する排出部Ｂに形成されている。
【００１２】
前記搬送面２は、装置本体に設けられた加振装置２１による加振運動で振動し、この振動によりごみを排出部Ｂ側に搬送する。
【００１３】
前記櫛状体１は、図２に示すように、本体部１１から複数本のロッド１２が延設された櫛状に形成されたもので、これらロッド１２が排出部Ｂ側に略水平に延設配置されている。
【００１４】
隣接する各ロッド１２の間隔Ｈは、後述する搬送コンベア４３により櫛状体１に搬入されるびんのかけら等の小さい不燃物が通過可能な大きさに設定されている。
【００１５】
この櫛状体１は、前記加振装置２１を設けた装置本体に連設されており、該加振装置２１による加振運動で前記搬送面２とともに振動し、この振動によって櫛状体１に支持したごみを排出部Ｂ側であるロッド１２の先端に搬送する。
【００１６】
また、櫛状体１の前記ロッド１２の上面には、複数の突起１２ａがのこ歯状に設けられている。この突起１２ａは、図１及び図３のような先端が尖ったものに限らず、先端が平坦に形成されているものでもよい。
【００１７】
前記本体部１１の上方は、図１に示すように前記投入部Ａになされており、該投入部Ａにホッパ４が設けられている。
【００１８】
ホッパ４の上部投入口４１には搬送コンベア４３の搬出端が配置され、搬送コンベア４３から搬出されたごみを下部に形成された排出口４２から櫛状体１の本体部１１上に投入する。
【００１９】
搬送コンベア４３は、図示しない破砕機で破砕したごみを搬送するもので、破砕機によりびんなども破砕され、この破砕されたびんのかけら等の特定ごみも他のごみと共に搬送される。
【００２０】
前記傾斜板３は、図３に示すように、前記櫛状体１の下方に配置されている。傾斜板３は、その上端３ａが回動自在に支持されるとともに、下端３ｂが角度調整部材３２により支持され、これにより上面である傾斜面３１が排出部Ｂ側に向けて上方に傾斜した状態となるように配置されている。
【００２１】
前記角度調整部材３２は、例えば装置本体に上下にスライド自在に配設されており、これにより傾斜板３の下端３ｂの支持位置が上下方向に可変となり、上記傾斜面３１の傾斜角度を可変にすることができる。
【００２２】
そして、前記傾斜板３の上端３ａは、搬送面２の投入部Ａ側の端縁上方に若干オバーラップした状態で連設されている。また、前記ロッド１２の先端は、前記傾斜板３の上端３ａよりも排出部Ｂ側に延長して配置されており、当該ロッド１２の先端からごみが直接搬送面２上に落下するように設定されている。
【００２３】
前記傾斜板３の下端３ｂ下方には、この傾斜板３の下端３ｂから排出されるびんのかけら等の小さい不燃物を収容するカレット受箱３３が配置されている。
【００２４】
さらに、傾斜板３の下端３ｂ上方近傍には、送風装置（送風手段）３５が配置されている。この送風装置３５は、ノズル３６からエアー（気体）を該傾斜板３の上端３ａ側（排出部Ｂ側）に且つ前記傾斜板３の傾斜面３１に向けて噴射するように構成されている。
【００２５】
前記送風装置３５は、ノズル３６の噴射角度が調整可能に取付けられている。具体的には、送風装置３５自体を可変に取付けることでノズル３６の噴射角度を調整可能にするか、もしくは送風装置３５に対してノズル３６のみを角度調整可能にしている。なお、３７は送風ブロワであり、３８は風量調整弁である。
【００２６】
前記排出部Ｂとなる搬送面２の搬出端の下方には搬出コンベア２５が設けられている。この搬出コンベア２５は、搬送面２の搬出端から排出されたごみを後続のごみ選別作業場に搬送する。
【００２７】
前記櫛状体１の上方には、送り装置（送り機構）５が設けられている。
【００２８】
送り装置５は、図３及び図４に示すように、複数本の揺動アーム５１と、該複数本の揺動アーム５１を駆動させる駆動装置６とから構成されている。
【００２９】
上記揺動アーム５１は、下方に向かって鉤状に屈折形成されたもので、上記駆動装置６により櫛状体１のロッド１２の延設方向に往復動可能に、且つその先端部が櫛状体１のロッド１２間に挿入可能に構成されている。
【００３０】
前記駆動装置６は、ガイドレール６１に沿って前記櫛状体１のロッド１２と平行に往復運動自在に設置された支持台６２と、該支持台６２の前後に軸支され、前記揺動アーム５１の基端が固設された２本の軸部材６３，６３と、該２本の軸部材６３を介して揺動アーム５１を上下に揺動させる揺動シリンダ６４（図４参照）と、上記支持台６２に連結された往復駆動手段６５とから構成されている。
【００３１】
前記揺動シリンダ６４は、その伸縮ロッドが連結アーム６４ａを介して前記２本の軸部材６３、６３に連結されており、これら揺動シリンダ６４を同調させて伸縮作動させることにより各軸部材６３に設けた複数本の揺動アーム５１が連動して上下方向に揺動する。
【００３２】
前記往復駆動手段６５は、モータ６６ａによって水平回転する回転体６６の先端部と支持台６２とを連結ロッド６７で連結し、回転体６６の回転運動を連結ロッド６７を介して往復運動に変換するものが用いられている。
【００３３】
このように構成された送り装置５の揺動アーム５１は、前述した揺動シリンダ６４と往復駆動手段６５とによって、以下に示す▲１▼〜▲５▼の行程を１サイクルとして連続して滑らかに運動する。
【００３４】
▲１▼  最も投入部Ａ側に近づく最前方において最上方に回動配置される行程（図１実線参照）。
【００３５】
▲２▼上記最上方から最下方に揺動して櫛状体１のロッド１２間に挿入する行程（図１二点鎖線参照）。
【００３６】
▲３▼上記最下方を保持して最も排出部Ｂ側に近づく最後方に移動する行程（図３二点鎖線参照）。
【００３７】
▲４▼上記最後方において、最下方から最上方に揺動する行程。
【００３８】
▲５▼上記最上方を保持して上記最後方から前記最前方に移動する行程。
【００３９】
次に、上述のように構成されたごみ選別装置の動作について説明する。
【００４０】
予め破砕機で破砕されたごみは、搬送コンベア４３によってホッパ４に搬入され、該ホッパ４の排出口４２から櫛状体１上に投入される。
【００４１】
櫛状体１では、各ロッド１２上で破砕ごみを支持し、加振装置２１の振動により破砕ごみを支持しながら先端側（排出部Ｂ側）に搬送する。この際、各ロッド１２上には突起１２ａがのこ歯状に設けられているため、該突起１２ａ上で破砕ごみを支持しており、前記加振装置２１の振動により破砕ごみを有効にほぐすことができる。
【００４２】
ここで、上述のように破砕機で破砕されて櫛状体１上に投入された破砕ごみのうち、びんのかけら等の小さい不燃物（以下、特定ごみという。）は、ロッド１２間を通過して下方に設けられた傾斜板３上に落下する。
【００４３】
また、ロッド１２の間隔Ｈよりも大きい破砕ごみは、該ロッド１２上で支持されながら先端に搬送され、該先端から下方の搬送面２に落下する。
【００４４】
上記傾斜板３では、加振装置２１の振動作用により、落下した特定ごみ（特定ごみ以外の破砕ごみを含む）をその傾斜面３１の上端３ａ側に搬送しようとするものの、傾斜板３の傾斜角度により、落下した破砕ごみのうち比重が大きくて摩擦力の小さい特定ごみは、そのまま傾斜面３１を伝って下端３ｂ側に滑り落ち、カレット受箱３３に排出される。
【００４５】
また、これら以外の破砕ごみ、例えば比重の小さい可燃ごみは、傾斜板３の振動作用によって傾斜面３１を登って上端３ａから搬送面２に落ち、前記櫛状体１の先端から落下した破砕ごみとともに、加振装置２１の振動により搬送面２上を排出部Ｂに搬送され、該排出部Ｂから搬出コンベア２５に排出されることになる。
【００４６】
しかし、上述のように破砕ごみが傾斜面３１を登って搬送面２に供給されるのは、破砕ごみの性状や傾斜板３上での各ごみの配列が理想的な状態である場合であり、実情は、可燃ごみでも水分を含んで比重が大きくなったものや、特定ごみが上に乗った状態で傾斜板３上に落下するごみなどがある。
【００４７】
このようなごみは、傾斜板３を滑って下端３ｂからカレット受箱３３に排出されようとするものの、傾斜板３の下端３ｂでは送風装置３５のノズル３６からエアーを傾斜面３１に向けて傾斜板３の上端３ａ側に噴射しているため、この噴射により特定ごみ以外の可燃ごみなどを排出部Ｂ側に吹き飛ばし、カレット受箱３３への排出を阻止している。
【００４８】
従って、カレット受箱３３へは、特定ごみのみが排出され、当該カレット受箱３３への可燃ごみなどの他のごみの混入を防止できる。
【００４９】
このように、送風装置３５により比重差を利用した選別を行うことで、特定ごみを高い精度で選別することができ、後の選別作業を容易に行うことができるとともに、選別を迅速に行うことができることから、選別能力を高めて効率よく行うことができる。
【００５０】
上記特定ごみ、即ち小さい不燃物を予めごみの中から取り除くのは、ごみの中にびんのかけら等の特定ごみが混入していると、後に行う不燃物や可燃物との選別作業において、作業者の安全上の問題や、風力選別装置などによる選別精度の低下を招き、作業が煩雑になるからである。
【００５１】
なお、角度調整部材３２により傾斜板３の下端３ｂの高さ位置を調整することで、傾斜板３の傾斜角度を変えることができ、櫛状体１から落下する破砕ごみの状況に応じて最適な選別ができるように設定することができる。
【００５２】
また、送風装置３５のノズル３６によるエアー噴射方向を調整することで、あるいはまた、風量を調整することで、上記傾斜板３の角度調整と相まってさらに最適な選別を行うことができる。
【００５３】
さらに、上述した櫛状体１上で破砕ごみが搬送される際において、櫛状体１のロッド１２間に破砕ごみが挟まって搬送されないことが起こる。
【００５４】
この場合には、前述した選別動作とともに作動している送り装置５によってロッド１２間に挟まった破砕ごみを強制的に搬送する。詳しくは、揺動アーム５１が前述した▲１▼〜▲５▼の行程を１サイクルとして連続して滑らかに運動していることにより、揺動アーム５１の先端部でロッド１２間に挟まった破砕ごみを強制的に先端側に送り、櫛状体１上における破砕ごみの円滑な搬送を行う。
【００５５】
このようにロッド１２間に挟まった破砕ごみを強制的に送ることで、装置の作動を中断させることなく、効率良く作業を行うことができる。
【００５７】
【発明の効果】
以上述べたように、本発明の請求項１記載のごみ選別装置によれば、上段の搬送通路を、所定の大きさのごみが落下可能なように所定間隔を隔てて配置された複数のロッドからなる櫛状体と、各ロッドの上面にのこ歯状に設けられた突起とからなる一次選別手段で構成するとともに、下段の搬送通路の搬送面に、排出部側にかけて上方に傾斜した傾斜面を有する二次選別手段を設け、さらに、傾斜面の下端側に上記排出部に向けて気体を送風する送風手段を設け、二次選別手段の傾斜面と、送風手段による比重差を利用した選別とにより、小さい不燃物を高い精度で選別することができ、後の選別作業を容易に行うことができるとともに、選別を迅速に行うことができることから、選別能力を高めて効率よく行うことができる。
【００５８】
本発明の請求項２記載のごみ選別装置によれば、前記一次選別手段の上方に、前記ロッド間に挿入可能で且つロッドの延設方向に往復動可能な揺動アームを備え、ロッド上のごみを排出部側に強制的に送る送り機構を設けたことで、一次選別手段においてごみを円滑に搬送することができ、効率良く作業を行うことができる。
【００５９】
本発明の請求項３記載のごみ選別装置によれば、二次選別手段の傾斜面の角度を調節自在に構成し、ごみの状況に応じて傾斜面の角度を調整することで、二次選別手段によるびんのかけら等の小さい不燃物をさらに効率良く選別することができる。
【００６０】
本発明の請求項４記載のごみ選別装置によれば、送風装置による送風方向およびまたは風量を調整することで、さらに最適な選別を行うことができる。
【図面の簡単な説明】
【図１】本発明のごみ選別装置の全体の概略構成を示す側面図である。
【図２】櫛状体の構成を示す平面図である。
【図３】傾斜板及び送り装置の構成を示す側面図である。
【図４】送り装置の構成を示す平面図である。
【符号の説明】
１  櫛状体（一次選別手段）
２  搬送面
３  傾斜板（二次選別手段）
３ａ  上端
３ｂ  下端
３１  傾斜面
３２  角度調整部材
３５  送風装置（送風手段）
３８  風量調整弁
５  送り装置（送り機構）
Ａ  投入部
Ｂ  排出部
【図１】
0003645064.tif 000002
【図２】
0003645064.tif 000003
【図３】
0003645064.tif 000004
【図４】
0003645064.tif 000005